(57)【要約】【課題】製造コストを増加させないと共に設計の自由度を低下させることなくクロスライン点灯を目立たなくした液晶装置及び電子機器を提供すること。【解決手段】下基板が、画像表示領域Ａの周縁に設けられて複数のコモン電極３２のそれぞれと導通する複数の引廻配線２８、２８Ｂを有し、コモン電極３２が、画像表示領域Ａの周縁に設けられて引廻配線２８、２８Ｂと平面視で交差する接続部３２ｄと、接続部３２ｄと接続してセグメント電極２５と平面視で交差する帯状部３２ｅとを有し、接続部３２ｄの幅が、帯状部３２ｅの幅よりも狭い。【選択図】図４
2008241856.tif 000002
【特許請求の範囲】
【請求項１】
複数の第１電極が形成された第１基板と複数の第２電極が形成された第２基板とがシール材で貼り合わされて液晶層を挟持し、前記第１及び第２電極の交差領域に対応する複数の画素領域で構成された画像表示領域を有する液晶装置であって、
前記第１基板が、前記画像表示領域の周縁に設けられて前記複数の第２電極のそれぞれと導通する複数の引廻配線を有し、
前記第２電極が、前記画像表示領域の周縁に設けられて前記引廻配線と平面視で交差する接続部と、該接続部を介して前記引廻配線に電気的に接続されて前記第１電極と平面視で交差する帯状部とを有し、
所定の２つの前記接続部のうち、該接続部の形成面積に対する前記複数の引廻配線との交差面積の割合が小さい一方の前記接続部の幅が、他方の前記接続部の幅よりも広いことを特徴とする液晶装置。
【請求項２】
前記引廻配線と前記接続部との交差面積が、ほぼ同等であることを特徴とする請求項１に記載の液晶装置。
【請求項３】
前記引廻配線と前記接続部との交差領域における電圧印加時の光強度が、前記第１電極と前記帯状部との交差領域における電圧印加時の強度と同等であることを特徴とする請求項１または２に移載の液晶装置。
【請求項４】
前記引廻配線の幅が、一端から他端に向かうにしたがって広くなることを特徴とする請求項１から３のいずれか１項に記載の液晶装置。
【請求項５】
前記第２電極の前記接続部が、複数に分割されていることを特徴とする請求項１から４のいずれか１項に記載の液晶装置。
【請求項６】
前記第１及び第２基板の少なくとも一方が、前記引廻配線と前記接続部との交差領域に設けられた減光層を有することを特徴とする請求項１から５のいずれか１項に記載の液晶装置。
【請求項７】
前記減光層が、カラーフィルタ層で構成されていることを特徴とする請求項６に記載の液晶装置。
【請求項８】
前記第１及び第２基板が、シール材で貼り合わされており、
前記引廻配線の少なくとも一部が、前記シール材の内側に形成されていることを特徴とする請求項１から７のいずれか１項に記載の液晶装置。
【請求項９】
前記引廻配線と前記第２電極とが、前記シール材に配置された導通部材を介して導通していることを特徴とする請求項１から８のいずれか１項に記載の液晶装置。
【請求項１０】
請求項１から９のいずれか１項に記載の液晶装置を備えることを特徴とする電子機器。
【発明の詳細な説明】
【技術分野】
【０００１】
本発明は、液晶装置及び電子機器に関するものである。
【背景技術】
【０００２】
携帯電話機などの表示装置として、液晶装置が広く用いられている。このような液晶装置として、液晶層を挟持する上基板及び下基板のそれぞれに帯状電極をストライプ状に複数形成し、これら帯状電極を平面視で立体的に交差させたパッシブマトリックス方式の液晶装置が提案されている（例えば、特許文献１、２参照）。このパッシブマトリックス方式の液晶装置では、立体的に交差する一対の帯状電極の交差領域によって画素領域が構成される。そして、下基板には上基板の帯状電極へ信号を伝達させるための引廻配線が設けられており、上基板の帯状電極と下基板の引廻配線とが平面視で立体的に交差している。
【特許文献１】特開２００４−１３３４３９号公報
【特許文献２】特開２００２−２２９０５０号公報
【発明の開示】
【発明が解決しようとする課題】
【０００３】
しかしながら、上記従来の液晶装置においても、以下の課題が残されている。すなわち、上記従来の液晶装置では、上基板の帯状電極に信号を供給した際、上基板の帯状電極と引廻配線との間に電位差が生じることがある。これにより、複数の画素領域からなる画像表示領域の周縁において帯状電極と引廻配線との交差部分が点灯する、いわゆるクロスライン点灯が発生することがある。そのため、帯状電極と引廻配線との交差領域に遮光膜を設けることや、駆動方法を工夫することによりクロスライン点灯を目立たなくする必要がある。したがって、製造コストの増加や設計の自由度が低下するという問題がある。
【０００４】
本発明は、上記従来の問題に鑑みてなされたもので、製造コストを増加させないと共に設計の自由度を低下させることなくクロスライン点灯を目立たなくした液晶装置及び電子機器を提供することを目的とする。
【課題を解決するための手段】
【０００５】
本発明は、前記課題を解決するために以下の構成を採用した。すなわち、本発明にかかる液晶装置は、複数の第１電極が形成された第１基板と複数の第２電極が形成された第２基板とがシール材で貼り合わされて液晶層を挟持し、前記第１及び第２電極の交差領域に対応する複数の画素領域で構成された画像表示領域を有する液晶装置であって、前記第１基板が、前記画像表示領域の周縁に設けられて前記複数の第２電極のそれぞれと導通する複数の引廻配線を有し、前記第２電極が、前記画像表示領域の周縁に設けられて前記引廻配線と平面視で交差する接続部と、該接続部を介して前記引廻配線に電気的に接続されて前記第１電極と平面視で交差する帯状部とを有し、所定の２つの前記接続部のうち、該接続部の形成面積に対する前記複数の引廻配線との交差面積の割合が小さい一方の前記接続部の幅が、他方の前記接続部の幅よりも広いことを特徴とする。
【０００６】
この発明では、引廻配線との交差面積の割合が小さいほど接続部の幅を広くすることで、接続部と引廻配線との各交差領域の面積の差が小さくなる。ここで、接続部の幅とは、接続部にスリットが入って複数本の線よりなる場合はそれらの合計の幅を示す。これにより、クロスライン点灯が目立たなくなる。すなわち、クロスライン点灯時の点灯面積のバラツキを小さくすることで、各交差領域での点灯状態がそろえられる。したがって、製造コストを増加させず、また設計の自由度を低下させることなくクロスライン点灯を目立たなくすることができる。
なお、
【０００７】
また、本発明の液晶装置は、前記接続部の幅が、前記引廻配線と前記接続部との交差面積が、ほぼ同等であることが好ましい。
この発明では、各交差領域をほぼ同等とすることで、より確実にクロスライン点灯のバラツキを抑制する。
【０００８】
また、本発明の液晶装置は、前記引廻配線と前記接続部との交差領域における電圧印加時の光強度が、前記第１電極と前記帯状部との交差領域における電圧印加時の強度と同等であることが好ましい。
この発明では、引廻配線と接続部との交差領域におけるオン状態での光強度と、第１電極と帯状部との交差領域におけるオン状態での光強度とを同等にすることで、より確実にクロスライン点灯を目立たなくすることができる。
【０００９】
また、本発明の液晶装置は、前記引廻配線の幅が、一端から他端に向かうにしたがって広くなることが好ましい。
この発明では、他方に向かうにしたがって引廻配線の幅を広くすることで、画像表示領域の周縁の領域を有効に活用できると共に引廻配線をより低抵抗とすることができる。
【００１０】
また、本発明の液晶装置は、前記第２電極の前記接続部が、複数に分割されていることが好ましい。
この発明では、複数に分割された接続部により帯状部と引廻配線とが導通しているので、接続部と引廻配線との交差領域が増加するが、交差領域の面積が小さいため、交差領域における点灯は目立ちにくい状態となる。
なお、複数に分割された接続部は、それぞれの幅が同等であると共に等間隔で形成されていることが好ましい。これにより、交差領域が均一に分散して形成されており、点灯が均一に分散して発生することから、点灯をより目立たなくできる。
【００１１】
また、本発明の液晶装置は、前記第１及び第２基板の少なくとも一方が、前記引廻配線と前記接続部との交差領域に設けられた減光層を有することが好ましい。
この発明では、減光層を設けることで、画像表示領域の周縁から出射する光量を減らし、クロスライン点灯をより目立たなくすることができる。
【００１２】
また、本発明の液晶装置は、前記減光層が、カラーフィルタ層で構成されていることが好ましい。
この発明では、カラーフィルタ層と同一材料により減光層を形成することで、製造工程の簡略化及び製造コストの削減が図れる。
【００１３】
また、本発明の液晶装置は、前記第１及び第２基板が、シール材で貼り合わされており、前記引廻配線の少なくとも一部が、前記シール材の内側に形成されていることが好ましい。
この発明では、シール材の内側の領域に引廻配線を形成することで、シール材の外側領域である額縁領域の狭小化が図れる。
【００１４】
また、本発明の液晶装置は、前記引廻配線と前記第２電極とが、前記シール材に配置された導通部材を介して導通していることが好ましい。
この発明では、シール材に導通部材を設けることで、別途他の部分に導通部材を設ける必要がなくなる。
【００１５】
また、本発明の電子機器は、上記記載の液晶装置を備えることを特徴とする。
この発明では、上述と同様に、製造コストを増加させず、また設計の自由度を低下させることなくクロスライン点灯が目立たなくなる。
【発明を実施するための最良の形態】
【００１６】
以下、本発明における液晶装置及びカラーフィルタ基板の一実施形態を、図面に基づいて説明する。なお、以下の説明に用いる各図面では、各部材を認識可能な大きさとするために縮尺を適宜変更している。ここで、図１は液晶装置を示す平面図、図２（ａ）は画素を示す平面図、図２（ｂ）は図２（ａ）のＡ−Ａ矢視断面図、図３は画像表示領域の周縁を示す断面図、図４（ａ）は下基板の画像表示領域の周縁部分を示す平面図、図４（ｂ）は上基板の画像表示領域の周縁部分を示す平面図である。
【００１７】
〔液晶装置〕
本実施形態における液晶装置１は、パッシブマトリックス型のカラー液晶装置であって、Ｒ（赤）、Ｇ（緑）、Ｂ（青）の各色光を出力する３個のサブ画素領域（画素領域）で１個の画素を構成する液晶装置である。ここで、表示を構成する最小単位となる表示領域を「サブ画素領域」と称する。
液晶装置１は、図１及び図２に示すように、下基板（第１基板）１１と、上基板（第２基板）１２と、下基板１１及び上基板１２の間に挟持された液晶層１３とを有しており、下基板１１及び上基板１２をシール材１４により貼り合せている。また、液晶装置１は、下基板１１に設けられて各サブ画素領域Ｓの表示状態を制御する駆動回路１５と、下基板１１の外面側（液晶層１３と反対側）に設けられた偏光板１６と、上基板１２の外面側に設けられた偏光板１７とを備えている。そして、液晶装置１は、下基板１１の外側に設けられて照明光を照射する照明装置１８を備えている。
【００１８】
下基板１１は、図１に示すように、平面視（下基板１１と上基板１２との積層方向）でほぼ矩形状の板部材であって、上基板１２から張り出す張出領域１１Ａが形成されている。この張出領域１１Ａに、駆動回路１５が設けられている。
そして、下基板１１は、図２（ｂ）に示すように、例えばガラスや石英、プラスチックなどの透光性材料からなる基板本体２１と、基板本体２１の内側（液晶層１３側）の表面に順次積層された反射膜２２、カラーフィルタ層（減光層）２３、オーバーコート膜２４、セグメント電極（第１電極）２５及び配向膜２６とを備えている。また、下基板１１は、図１に示すように、画像表示領域Ａの周縁であってオーバーコート膜２４上に形成された接続配線２７及び引廻配線２８、２９を備えている。
【００１９】
反射膜２２は、図２に示すように、例えばアルミニウムや銀などの反射率の高い金属材料で構成されている。そして、反射膜２２には、平面視（下基板１１及び上基板１２の積層方向）でほぼ矩形状の開口部２２ａが形成されている。そして、図２（ｂ）に示すように、各サブ画素領域Ｓにおいて、開口部２２ａの形成領域が透過表示領域Ｔを構成し、反射膜２２の形成領域が反射表示領域Ｒを構成する。
カラーフィルタ層２３は、感光性を有するアクリル樹脂などの樹脂材料で構成されており、Ｒ、Ｇ、Ｂの各色光を出力するサブ画素領域Ｓに対応して設けられた３種の着色層２３Ｒ、２３Ｇ、２３Ｂを備えている。
これら着色層２３Ｒ、２３Ｇ、２３Ｂは、基板本体２１上にサブ画素領域Ｓの配列状態に対応させてストライプ状にほぼ隙間なく配列されている。また、着色層２３Ｒ、２３Ｇ、２３Ｂは、図３に示すように、画像表示領域Ａの周縁にも設けられている。
なお、カラーフィルタ層２３にサブ画素領域Ｓを縁取る遮光層を設けてもよい。これにより、表示のコントラストを向上させることができる。
【００２０】
オーバーコート膜２４は、図２（ｂ）に示すように、例えばアクリルなどの樹脂材料で構成されている。
セグメント電極２５は、図１及び図２に示すように、例えばＩＴＯ（酸化インジウムスズ）などの透光性の導電材料で構成されている。そして、セグメント電極２５は、隣り合う他のセグメント電極２５と接触しないように間隔をあけてストライプ状に配列されている。ここで、セグメント電極２５の延在方向は、着色層２３Ｒ、２３Ｇ、２３Ｂの形成方向と同方向となっている。また、セグメント電極２５は接続配線２７を介して駆動回路１５に接続されており、駆動回路１５から画像信号が供給される。
配向膜２６は、例えばポリイミドなどの樹脂材料で構成されており、表面に液晶層１３を構成する液晶分子の初期配向方向を規制するための配向処理が施されている。
【００２１】
接続配線２７は、セグメント電極２５と同様にオーバーコート膜２４上に形成されており、ＩＴＯなどの透光性の導電材料で構成されている。そして、接続配線２７は、図１に示すように、下基板１１の張出領域１１Ａに設けられた駆動回路１５と画像表示領域Ａ内に形成されたセグメント電極２５とを接続している。
【００２２】
引廻配線２８、２９は、図１、図３及び図４（ａ）に示すように、セグメント電極２５と同様にオーバーコート膜２４上に形成されており、ＩＴＯなどの透光性の導電材料で構成されている。そして、引廻配線２８、２９は、駆動回路１５とシール材１４中に分散配置された後述する導電性粒子（導通部材）４２とを接続している。また、引廻配線２８、２９は、後述するコモン電極（第２電極）３２の形成本数と同数形成されている。そして、引廻配線２８は、コモン電極３２の形成本数のほぼ半数形成されている。
【００２３】
引廻配線２８は、図１に示すように、下基板１１のうち張出領域１１Ａが形成されている一辺（以下、端辺１１ｂと称する）と隣接する２辺の一方に向けて駆動回路１５から延出した後、シール材１４の内側で画像表示領域Ａの周縁に沿って端辺１１ｂと対向する一辺に向けて屈曲して形成されている。そして、引廻配線２８は、図４（ａ）に示すように、駆動回路１５から離間する一端部２８ａがシール材１４を介してコモン電極３２の端部と重なっている。
また、引廻配線２９は、図１に示すように、引廻配線２８と同様に、駆動回路１５から上記２辺の他方に向けて延出した後、シール材１４の内側で画像表示領域Ａの周縁に沿って端辺１１ｂと対向する一辺に向けて屈曲して形成されている。そして、引廻配線２９は、駆動回路１５から離間する一端部がシール材１４を介してコモン電極３２の端部と重なっている。
【００２４】
また、引廻配線２８、２９の幅は、図４（ａ）に示すように、シール材１４の形成領域の内側において、駆動回路１５と近接する一端から他端に向かうにしたがって漸次広くなっている。
そして、引廻配線２８のうち駆動回路１５から最も離間した位置において後述するコモン電極３２と導通する引廻配線２８Ｂには、ダミー部２８ｃが設けられている。このダミー部２８ｃは、平面視でほぼ三角形状であって、引廻配線２８Ｂと画像表示領域Ａとの間を埋めるように設けられている。また、ダミー部２８ｃは、引廻配線２８Ｂの一端部２８ａの近傍に接続されており、引廻配線２８Ｂと同電位にすると共に引廻配線２８Ｂからダミー部２８ｃに向けて信号が流れにくくしている。なお、引廻配線２９のうち駆動回路１５から最も離間した位置においてコモン電極３２と導通するものにも、引廻配線２８Ｂと同様にダミー部（図示略）が設けられている。
ここで、引廻配線２８、２９は、端辺１１ｂから離間するにしたがってコモン電極３２と順次接続されていくことから、その形成本数が減少する。そこで、引廻配線２８の幅をシール材１４の形成領域の内側において他端に向かうにしたがって増大させることで、画像形成領域Ａの周縁であってシール材１４の内側の領域である引廻領域を有効に利用している。したがって、端辺１１ｂから離間するにしたがって引廻領域に対する引廻配線２８、２９の形成領域の割合が増大する。
【００２５】
上基板１２は、例えばガラスや石英、プラスチックなどの透光性材料からなる基板本体３１と、基板本体３１の内側の表面に順次積層されたコモン電極（第２電極）３２及び配向膜３３とを備えている。
【００２６】
コモン電極３２は、セグメント電極２５と同様に例えばＩＴＯなどの透光性の導電材料で構成されている。そして、コモン電極３２は、図１、図２（ａ）及び図４（ｂ）に示すように、隣り合う他のコモン電極３２と接触しないように間隔をあけてストライプ状に配列されている。ここで、コモン電極３２の延在方向は、平面視においてセグメント電極２５の延在方向と直交している。すなわち、コモン電極３２の延在方向は、１つの画素を構成する３つのサブ画素領域Ｓの配列方向に沿っている。そして、セグメント電極２５及びコモン電極３２の交差部分によって各サブ画素領域Ｓが形成される。
また、複数のコモン電極３２は、シール材１４を介して引廻配線２８の一端部２８ａと対向するコモン電極３２Ａと、シール材１４を介して引廻配線２９の一端部と対向するコモン電極３２Ｂとを有している。そして、コモン電極３２Ａとコモン電極３２Ｂとは、図４（ｂ）に示すように、コモン電極３２の配列方向において交互に配置されている。
【００２７】
また、コモン電極３２は、端子部３２ｃと接続部３２ｄと帯状部３２ｅとを有している。
端子部３２ｃは、画像表示領域Ａの周縁であってシール材１４の形成領域に設けられており、シール材１４内に配置された導電性粒子４２と接触している。
接続部３２ｄは、画像表示領域Ａの周縁であってシール材１４の形成領域の内側に複数（図４（ｂ）では４本）に分割されており、端子部３２ｃと帯状部３２ｅとを接続している。
ここで、コモン電極３２Ａにおいて接続部３２ｄの形成領域における引廻配線２８の形成領域の割合は、図５に示すように、端辺１１ｂから離間するにしたがって増大している。これは、引廻配線２８は、端辺１１ｂから離間するにしたがってコモン電極３２Ａと順次接続されていくことから、その形成本数が減少していると共に、引廻配線２８の幅をシール材１４の形成領域の内側において他端に向かうにしたがって増大させているためである。そして、接続部３２ｄの幅（４本に分割された接続部３２ｄの合計の幅）は、図６に示すように、端辺１１ｂから離間するにしたがって狭くなっている。すなわち、端辺１１ｂから離間する位置に配置されるほど、コモン電極３２Ａの接続部３２ｄの幅を狭くしている。したがって、各接続部３２ｄの形成領域において、接続部３２ｄと引廻配線２８との交差面積は同等となる。
なお、コモン電極３２Ｂを構成する接続部３２ｄの幅も、コモン電極３２Ａを構成する接続部３２ｄと同様に、端辺１１ｂから離間するにしたがって狭くなっている。また、１つのコモン電極３２の接続部３２ｄを構成する複数に分割された接続部３２ｄの幅は、同等となっていて、また等間隔に形成されている。したがって、引廻配線２８、２９と接続部３２ｄとの交差領域が画像表示領域Ａの周縁において均一に分散して形成されている。
また、接続部３２ｄと引廻配線２８との交差領域における電圧印加時の光強度と、サブ画素領域Ｓにおける電圧印加時の光強度とは、接続部３２ｄと引廻配線２８との電界強度などを調整することにより、同等となっている。
帯状部３２ｅは、画像表示領域Ａ内に設けられており、その幅が例えば２１８μｍとなっている。
【００２８】
そして、コモン電極３２は、セグメント電極２５と同様に駆動回路１５から走査信号が供給される。そして、セグメント電極２５及びコモン電極３２は、供給された画像信号及び走査信号に応じてセグメント電極２５及びコモン電極３２間に電圧を印加し、電圧が印加されたサブ画素領域Ｓの液晶層１３に電界を発生させる。
【００２９】
配向膜３３は、図２及び図３に示すように、配向膜２６と同様に例えばポリイミドなどの樹脂材料で構成されており、表面に配向処理が施されている。
【００３０】
液晶層１３は、例えばＳＴＮ（Super Twisted Nematic）モード液晶で構成されており、そのツイスト角度が２４０°となっている。
シール材１４は、絶縁性の樹脂材料で構成されており、平面視で矩形の枠状に形成されている。そして、シール材１４のうち端辺１１ｂと対向する一辺に臨む一部には液晶層１３を構成する液晶分子を注入するための注入口が形成されており、封止材４１により封止されている。
また、シール材１４は、端辺１１ｂと隣接する２辺に臨む部分に導電性粒子４２が分散配置されている。この導電性粒子４２は、下基板１１に形成された引廻配線２８、２９と上基板１２に形成されたコモン電極３２の端子部３２ｃとにそれぞれ接触している。そして、導電性粒子４２により、引廻配線２８、２９とコモン電極３２との導通が図られる。
偏光板１６の内側には、１／４波長板４１が設けられている。また、偏光板１７の内側には、位相差板４２が設けられている。
【００３１】
この液晶装置１では、引廻配線２８、２９を介してコモン電極３２に走査信号を供給するとき、引廻配線２８、２９とコモン電極３２の接続部３２ｄとの交差領域において引廻配線２８、２９と接続部３２ｄとの間に電位差が発生することがある。反射表示モードでは、この交差領域において、上基板１２側から入射した外光が液晶層１３を透過した後、反射膜２２により反射されて再び液晶層１３及び上基板１２を透過する。また、透過表示モードでは、下基板１１に設けられた反射膜２２により反射されて液晶層１３に入射しない。
ここで、引廻配線２８、２９との交差面積が同等であって引廻配線２８、２９が引廻領域の全体に形成されているため、引廻配線２８、２９と接続部３２ｄとの交差領域が画像表示領域Ａの周縁において均一に分散して形成される。これにより、画像表示領域Ａの周縁においてクロスライン点灯が均一に分散して発生する。また、反射表示モードにおいて入射した光がカラーフィルタ層２３を透過するため、着色層２３Ｒ、２３Ｇ、２３Ｂにより光の強度が減少する。これにより、交差領域における点灯の強度が減少する。そして、引廻配線２８、２９と接続部３２ｄとの交差領域は、その点灯輝度がサブ画素領域Ｓと同等となっている。
以上より、強度を低減させたクロスライン点灯が均一に分散した状態で発生するため、クロスライン点灯が目立たなくなる。
【００３２】
〔電子機器〕
以上のような構成の液晶装置１は、例えば図７に示すような携帯電話機１００の表示部１０１として適用される。この携帯電話機１００は、複数の操作ボタン１０２、受話口１０３、送話口１０４及び上記表示部１０１を有する本体部を備えている。
【００３３】
以上のように、本実施形態における液晶装置１及び携帯電話機１００によれば、引廻配線２８、２９との交差面積の割合が小さいほど接続部３２ｄの幅を広くすることで、接続部３２ｄと引廻配線２８、２９との各交差領域の面積の差が小さくなる。クロスライン点灯時の点灯面積のバラツキが小さくなる。
【００３４】
そして、引廻配線２８、２９の幅を一端部に向かうにしたがって広くすることで、引廻配線２８、２９を低抵抗とし、信号の波形の崩れを抑制してクロストークの発生を防止できる。
さらに、複数の接続部３２ｄにより引廻配線２８、２９と帯状部３２ｅとを接続することで、接続部３２ｄにおける波形の崩れを防止できる。ここで、複数の接続部３２ｄを等間隔に形成することで、画像表示領域Ａの周縁であってシール材１４の内側の領域に接続部３２ｄと引廻配線２８、２９との交差領域が均一に分散して形成される。これにより、クロスライン点灯は、均一に発生して目立たなくなる。
また、引廻配線２８、２９と接続部３２ｄとの交差領域は、その点灯輝度がサブ画素領域Ｓと同等にすることで、クロスライン点灯をより目立たなくすることができる。
そして、画像表示領域Ａの周縁にカラーフィルタ層２３を設けることで、反射表示モードにおけるクロスライン点灯の輝度が減少するので、クロスライン点灯がより目立たなくなる。ここで、カラーフィルタ層２３と同一材料で構成することにより、製造工程や製造コストを増大させることがない。
さらに、シール材の内側の領域に引廻配線を形成することで、画像表示領域とシール材との間の領域を有効活用できる。
【００３５】
なお、本発明は上記実施形態に限定されるものではなく、本発明の趣旨を逸脱しない範囲において種々の変更を加えることが可能である。
例えば、コモン電極を構成する接続部の幅は、端辺から離間する位置に配置されたコモン電極を構成する接続部ほど狭くなっているが、接続部の形成領域における引廻配線との交差面積の割合が小さいほど広くなっていればよい。すなわち、図８（ａ）に示すように、引廻配線１１０の幅が駆動回路から離間する一端部まで同等である場合、引廻配線１１０の形成面積は、端辺から離間するにしたがって減少する。したがって、図８（ｂ）に示すように、コモン電極１１１が端辺から離間して配置されるほど、このコモン電極１１１を構成する接続部１１１ａの幅を広くする。これにより、接続部１１１ａと引廻配線１１０との交差面積が同等となる。
【００３６】
また、接続部と引廻配線との交差領域における電圧印加時の点灯輝度をサブ画素領域における点灯輝度と同等にしているが、クロスライン点灯が目立たなければ、同等としなくてもよい。
そして、接続部と引廻配線との交差面積を同等としているが、交差面積のバラツキを抑えて画像表示領域の周縁におけるクロスライン点灯が目立たなければ、交差面積を同等としなくてもよい。
さらに、コモン電極が複数の接続部を有しているが、接続部における走査信号波形の崩れを抑制できれば、少なくとも１本の接続部を有していればよい。
また、引廻配線の幅を駆動回路から離間するにしたがって広くしているが、引廻配線における走査信号波形の崩れを抑制できれば、全体にわたって同一幅としてもよい。
【００３７】
また、カラーフィルタ層を下基板に設けているが、上基板に設けてもよい。
そして、画像表示領域の周縁に３色の着色層を設けているが、クロスライン点灯による輝度を減少させることができれば、赤色、緑色及び青色の着色層の少なくとも１層を設けてもよい。
さらに、カラーフィルタ層によって液晶層を透過する光の強度を減少させているが、他の部材によって光の強度を減少させてもよい。
また、クロスライン点灯が十分に目立たなくすることができれば、画像表示領域の周縁にカラーフィルタなどの減光層を設けない構成としてもよい。
【００３８】
また、引廻配線の一部をシール材の内側に形成しているが、シール材の外側に形成してもよい。
そして、シール材に分散配置された導電性粒子によって引廻配線とコモン電極とを導通させているが、別途設けた導通部材により引廻配線とコモン電極とを導通させてもよい。
【００３９】
また、パッシブマトリックス型の液晶装置としているが、アクティブマトリックス型の液晶装置であってもよい。
そして、半透過反射型の液晶装置としているが、透過型や反射型の液晶装置であってもよい。
さらに、液晶装置は、Ｒ、Ｇ、Ｂの３色の色表示を行うカラー液晶装置としているが、２色や４色以上の色表示を行う液晶装置や、カラーフィルタ層が設けられていないモノクロ表示を行う液晶装置であってもよい。
【００４０】
また、電子機器は、液晶装置を備えていれば上述した携帯電話機に限らず、電子ブックやパーソナルコンピュータ、デジタルスチルカメラ、液晶テレビ、ビューファインダ型またはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器などの画像表示手段であってもよい。
【図面の簡単な説明】
【００４１】
【図１】本発明の液晶装置を示す平面図である。
【図２】図１の画素を示す平面図である。
【図３】図１の画像表示領域の周縁を示す断面図である。
【図４】図１の画像表示領域の周縁における下基板及び上基板の平面図である。
【図５】端辺からの距離と引廻配線の占有割合との関係を示すグラフである。
【図６】端辺からの距離と接続部の幅との関係を示すグラフである。
【図７】本発明の携帯電話機を示す外観斜視図である。
【図８】本発明を適用可能な他の液晶装置を示す下基板及び上基板の平面図である。
【符号の説明】
【００４２】
１  液晶装置、１１  下基板（第１基板）、１２  上基板（第２基板）、１３  液晶層、１４  シール材、２３  カラーフィルタ層（減光層）、２５  セグメント電極（第１電極）、２８，２８Ｂ，２９，１１０  引廻配線、３２，３２Ａ，３２Ｂ，１１１  コモン電極（第２電極）、３２ｄ  接続部、３２ｅ  帯状部、４２  導電性粒子（導通部材）、１００  携帯電話機（電子機器）、Ａ  画像表示領域
【図１】
2008241856.tif 000003
【図２】
2008241856.tif 000004
【図３】
2008241856.tif 000005
【図４】
2008241856.tif 000006
【図５】
2008241856.tif 000007
【図６】
2008241856.tif 000008
【図７】
2008241856.tif 000009
【図８】
2008241856.tif 000010